(57)【特許請求の範囲】
【請求項１】
四隅の柱の上下端を梁で連結した直方体状のフレームを有する建物ユニット同士を水平方向に隣接させて連結するための連結具であって、
前記建物ユニット同士は、対向する側面の水平長さ寸法が異なり、一方の建物ユニットの突き合わされた側面の水平長さ寸法に応じた第一接続部と、他方の建物ユニットの突き合わされた側面の水平長さ寸法に応じた第二接続部とが一体化されていることを特徴とする連結具。
【請求項２】
請求項１に記載の連結具において、前記建物ユニット同士は、前記突き合わされた側面と交差する他の側面同士が同一面を形成し、これらの側面に沿って別の二つの建物ユニットが配置され、前記第一接続部および前記第二接続部は、前記別の二つの建物ユニットの柱の頂部まで延長されるとともに、これらの建物ユニット同士を連結していることを特徴とする連結具。
【請求項３】
請求項１または請求項２に記載の連結具において、前記建物ユニットは、平面視で、長さが異なる長辺および短辺を有するものであり、前記突き合わされた側面は、短辺側の側面であることを特徴とする連結具。
【請求項４】
請求項１ないし請求項３のいずれかに記載の連結具において、対向する側面の水平長さ寸法が同一となる建物ユニット同士は、当該建物ユニットの上に載置される上階建物ユニットを位置決めするための位置決めピンを挿通させる位置決め孔と、水平方向に隣接配置された複数の建物ユニットを連結するためのボルトを挿通するためのボルト挿通孔とを有する標準連結具で連結され、
前記第一接続部および第二接続部には、前記標準連結具と同じ位置決め孔およびボルト挿通孔がそれぞれ設けられていることを特徴とする連結具。
【請求項５】
請求項４に記載の連結具において、前記第一接続部が前記第二接続部より長く、前記第一接続部の中間部分であって前記第二接続部の端部と平面視で対向する位置には、下方の梁との接合を行うボルトが挿通されるボルト挿通孔が形成されていることを特徴とする連結具。
【発明の詳細な説明】
【０００１】
【発明の属する技術分野】
本発明は、四隅の柱の上下端を梁で連結した直方体状のフレームを有する建物ユニット同士を水平方向に隣接させて連結するための連結具に関する。
【０００２】
【背景技術】
従来より、工場で箱状の建物ユニットを製造し、建築現場で複数の建物ユニットを組み合わせて形成されるユニット式建物が利用されている。
ユニット式建物によれば、建物ユニットに予め工場で内装材、外装材、および設備部材を取り付けてしまうので、建築現場における作業を大幅に軽減することができ、建物を短期間で建築することができる。
建物ユニットは、四隅に立設される柱の上下端を梁で連結した略直方体状のフレームを有している。
このフレームの上面には、補強のために対角線上にブレースが架け渡され、このブレースにより当該フレームの平面形状の変形が防止され、建物ユニットの剛性が確保されている。
【０００３】
互いに隣接する建物ユニット同士は、平板状の連結具で連結されている。図５には、その一例が示されている。
互いに隣接する建物ユニット１０同士は、図５の如く、隙間Ｄをあけて配置され、各々の柱頭１１Ａ同士が標準連結具としての建物ユニット用連結具１１０によって相互に連結されている。尚、各々の柱頭１１Ａには、建物ユニット１０の相対位置を決めるために大小二つの位置決めピン１１Ｂ、１１Ｃが突設されている。
この建物ユニット用連結具１１０は、柱１１の密集部にまたがって配置される略正方形状の鉄板であり、各柱頭１１Ａ上に配置されるプレート部１１１を備えている。
このプレート部１１１には、位置決めピン１１Ｂ、１１Ｃを挿通するための孔１１２、１１３と、建物ユニット１０に建物ユニット用連結具１１０を固定するとともに、上下の建物ユニット１０を連結するボルトナットからなる締結具１２０を挿通するための孔１１４と、が形成されている。
そして、このような建物ユニット用連結具１１０によって建物ユニット１０の各々の柱頭１１Ａを連結固定することにより、隣接する建物ユニット１０同士の接合強度を確保することができる。
【０００４】
ところで、ユニット式建物の外壁面に平面視で段付部を形成するには、図６に示されるように、短辺寸法の小さな小型建物ユニット９１を建物ユニット４１に隣接配置するで対応できる。
しかし、小型建物ユニット９１を採用すると、建物ユニットの数が増えてしまうので、建築現場での作業が増大してしまう。
そこで、図７に示されるように、水平長さ寸法が異なる側面同士を隣接させて二つの建物ユニット４１、４２を接合することが考えられる。
このような場合、水平力Ｆをスムーズに伝達するために、接合される辺が長い方の建物ユニット４１には、二組のブレース４２１、４２２を架設して、当該建物ユニット４１の水平構面を補強する必要がある。
【０００５】
【発明が解決しようとする課題】
しかしながら、短辺に沿ってブレース４２１、４２２を並設すると、突出部分に架設される一対のブレース４２２の互いになす角度が鋭角になってしまい、十分な剛性を確保することができず、従来は、突き合わされる側面の水平長さ寸法が異なる建物ユニット同士を隣接していなかった。
このため、突き合わされる側面の水平長さ寸法が異なっていても、建物ユニットの水平連結部分の剛性が損なわれない連結具が切望されている。
なお、本願出願人は、ブレースの代わりに合板を利用して建物ユニットを補強する構造を提案している（特開平１０−２６６３５３号公報参照）。しかしながら、このようにすると、建物ユニットを製造するにあたり、その工数が増えてしまう。
【０００６】
本発明の目的は、突き合わされる側面の水平長さ寸法が異なる建物ユニット同士の連結部分の剛性が確保されるようになる連結具を提供することにある。
【０００７】
【課題を解決するための手段】
本発明の連結具は、図面をも参照して説明すると、四隅の柱４１１，４３１の上下端を梁４１２，４３２で連結した直方体状のフレームを有する建物ユニット４１Ａ，４３同士を水平方向に隣接させて連結するための連結具６０であって、前記建物ユニット４１Ａ，４３同士は、対向する側面の水平長さ寸法が異なり、一方の建物ユニット４１Ａの突き合わされた側面の水平長さ寸法に応じた第一接続部６１と、他方の建物ユニット４３の突き合わされた側面の水平長さ寸法に応じた第二接続部６２とが一体化されていることを特徴とする。
このような本発明では、四角形状の金属板（例えば、鉄板）の角隅を四角形状に切欠くことにより第一接続部６１および第二接続部６２を一体化した連結具６０が容易に製作されるようになる。そして、平板状の連結具６０の取付けにより水平方向の剛性が向上され、この連結具６０で、建物ユニット４１Ａ，４３同士の突き合わされた側面の四本の柱４１１，４３１を一体化すれば、突き合わされた側面の水平長さ寸法が相違していても、水平外力Ｆは、他方の建物ユニット４３から一方の建物ユニット４１Ａへスムーズに伝達されるようになり、突き合わされる側面の水平長さ寸法が異なる建物ユニット４１Ａ，４３同士の連結部分の剛性が確保されるようになる。
【０００８】
以上において、前記建物ユニット４１Ａ，４３同士は、前記突き合わされた側面と交差する他の側面同士が同一面を形成し、これらの側面に沿って別の二つの建物ユニット４１Ｂが配置され、前記第一接続部６１および前記第二接続部６２は、前記別の二つの建物ユニット４１Ｂの柱４１１の頂部まで延長されるとともに、これらの建物ユニット４１Ｂ同士を連結していることが望ましい。
ここで、突き合わされる側面の水平長さ寸法が異なる建物ユニット４１Ａ，４３と、これらの建物ユニット４１Ａ，４３に沿って別の建物ユニット４１Ｂとを連結するにあたり、第一接続部６１および第二接続部６２を有する連結とは別の連結具で四つの建物ユニット４１Ａ，４１Ｂ，４３を連結しようとすると、二枚の連結具が重ね合わされ、他の水平連結具と高さレベルが相違する。
そこで、前述のようにすれば、建物ユニット４１Ａ，４１Ｂ，４３同士が一つの連結具６０で連結可能となるので、建物ユニット４１Ａ，４１Ｂ，４３の水平連結部分の高さレベルが相違することがなく、上階建物ユニットの載置に何ら問題が生じない。
【０００９】
また、前記建物ユニット４１Ａ，４３は、平面視で、長さが異なる長辺および短辺を有するものであり、前記突き合わされた側面は、短辺側の側面であることが望ましい。
このように、建物ユニット４１Ａ，４３同士の短辺側の側面を突き合わせて連結すれば、長辺側の側面を突き合わせて連結する場合よりも、第一および第二接続部６１，６２、当該第一および第二接続部６１，６２で連結される梁４１２，４３２の長さが短くなるので、より高い剛性が確保され、水平外力Ｆに抗しうる剛性の確保がより容易となる。
【００１０】
さらに、対向する側面の水平長さ寸法が同一となる建物ユニット４１同士は、当該建物ユニット４１の上に載置される上階建物ユニット４１を位置決めするための位置決めピン１１Ａ，１１Ｂを挿通させる位置決め孔１１２，１１３と、水平方向に隣接配置された複数の建物ユニット４１Ｂを連結するためのボルト１２０を挿通するためのボルト挿通孔１１４とを有する標準連結具１１０で連結され、前記第一接続部６１および第二接続部６２には、前記標準連結具１１０と同じ位置決め孔６１Ａ，６１Ｂ，６２Ａ，６２Ｂおよびボルト挿通孔６１Ｃ，６２Ｃがそれぞれ設けられていることが望ましい。
このようにすれば、従来の上下方向に隣接する建物ユニット４１同士の連結構造を変更せずに、当該建物ユニット４１同士の連結作業が行えるようになり、建築現場での作業効率が損なわれない。
【００１１】
また、前記第一接続部６１が前記第二接続部６２より長く、前記第一接続部６１の中間部分であって前記第二接続部６２の端部と平面視で対向する位置には、下方の梁４１２との接合を行うボルトが挿通されるボルト挿通孔６１Ｄが形成されていることが望ましい。
このようにすれば、第一接続部６１側の建物ユニット４１Ａの梁４１２は、中間部分が連結具６０に接合されるので、連結具６０が段差部分を有する平面形状を有していても、水平外力Ｆが連結具の段差部分に集中せず、連結具６０全体に伝達されるようになり、連結具の耐久性が確保されるようになる。
【００１２】
【発明の実施の形態】
以下、本発明の実施の一形態を図面に基づいて説明する。なお、既に説明した部材または部分と同一または類似の部材または部分については、その説明を省略または簡略にする。
図１には、本発明の一実施形態に係るユニット式建物１が示されており、ユニット式建物１は、現場打設された基礎３上に形成される二階建ての建物本体４と、外壁面が建物本体４の外壁面４Ａから突出して形成される段付部５を備えている。
【００１３】
建物本体４は、四隅の柱の上下端を梁で連結した直方体状のフレームを備えた建物ユニット４１と、この建物ユニット４１と同様の構成を有しかつ短辺寸法が建物ユニット４１よりも短い建物ユニット４３とを含んで形成される。
段付部５は、建物ユニット４１Ａを積み重ねて形成され、二階部分に配置された建物ユニット４１の外壁５Ａには、片持ち支持のキャンティバルコニユニット５Ｂが突設されている。
そして、段付部５を形成する建物ユニット４１Ａには、上述した建物ユニット４３がその短辺を隣接させて配置されている。
【００１４】
これらの建物ユニット４１Ａは、図２の一階部分配置図に示されるように、建物ユニット４３に挟まれて配置されている。建物ユニット４１Ａ，４３は、突き合わされる短辺側の側面の水平長さ寸法が異なっている。
建物ユニット４１Ａ，４３同士は、突き合わされた側面と交差する他の側面が同一面を形成し、これらの側面に沿って複数の建物ユニット４１Ｂが配置されている。建物ユニット４１Ａ，４１Ｂ，４３は、図３にも示されるように、平面四角形状の金属板の角隅を四角形状に切欠いた平板状の連結具６０によって相互に連結されている。
【００１５】
連結具６０は、建物ユニット４１Ａの突き合わされた短辺側の側面の水平長さ寸法に応じた第一接続部６１と、建物ユニット４３の突き合わされた短辺側の側面の水平長さ寸法に応じた第二接続部６２とを備えている。
第一接続部６１は、その長さ寸法が建物ユニット４１Ａの短辺側の側面の水平長さ寸法と建物ユニット４１Ｂの柱４１１の一辺の長さ寸法を足し合わせた寸法となっている。この第一接続部６１の長さ寸法は、第二接続部６２よりも大きくなっている。連結具６０の建物ユニット４１Ｂ側の端部は、当該建物ユニット４１Ｂの柱４１１の頂部まで延長されている。
第一接続部６１には、前述の位置決めピン１１Ａ，１１Ｂを挿通させる位置決め孔６１Ａ，６１Ｂと、前述のボルトナットからなる締結具１２０を挿通させるボルト挿通孔６１Ｃと、下方の建物ユニット４１Ａの梁４１２との接合を行うボルトを挿通させるボルト挿通孔６１Ｄとが設けられている。
位置決め孔６１Ａ，６１Ｂおよびボルト挿通孔６１Ｃは、各建物ユニット４１Ａ，４１Ｂの柱４１１の頂部１１Ａに応じた位置に配置されている。
ボルト挿通孔６１Ｄは、第一接続部６１の中間部分で、第二接続部６２の端部と平面視で対向する位置に配置されている。なお、建物ユニット４１Ａの梁４１２には、ボルト挿通孔６１Ｄと対応してボルト挿通孔４１２Ａが形成されている。
第二接続部６２は、その長さ寸法が建物ユニット４３の短辺側の側面の水平長さ寸法と建物ユニット４１Ｂの柱４１１の一辺の長さ寸法を足し合わせた寸法となっている。第二接続部６２には、第一接続部６１と同様に、前述の位置決めピン１１Ａ，１１Ｂを挿通させる位置決め孔６２Ａ，６２Ｂと、前述のボルトナットからなる締結具１２０を挿通させるボルト挿通孔６２Ｃとが設けられている。
なお、第一接続部６１は、第二接続部６２よりもながいので、連結具６０の中間部分に段差部分が形成されている。
【００１６】
このような本実施形態によれば、次のような効果がある。
すなわち、四角形状の金属板の角隅を四角形状に切欠くことにより第一接続部６１および第二接続部６２を一体化した連結具６０を容易に製作できる。そして、第一接続部６１および第二接続部６２を一体化した平板状の連結具６０の取付けにより水平方向の剛性が向上され、この連結具６０で、建物ユニット４１Ａ，４３同士の突き合わされた側面の四本の柱４１１，４３１を一体化しているので、突き合わされた側面の水平長さ寸法が相違していても、水平外力Ｆは、建物ユニット４３から建物ユニット４１Ａへスムーズに伝達されるようになり、突き合わされる側面の水平長さ寸法が異なる建物ユニット４１Ａ，４３同士の連結部分の剛性を確保できる。
【００１７】
また、第一接続部６１および第二接続部６２が建物ユニット４１Ｂの柱４１１の頂部まで延び、建物ユニット４１Ａ，４１Ｂ，４３を一つの連結具６０で連結しているので、建物ユニット４１Ａ，４１Ｂ，４３の水平連結部分の高さレベルが相違することなく、上階建物ユニットの載置に何ら問題が生じない。
【００１８】
さらに、建物ユニット４１Ａ，４３同士の突き合わされる側面を短辺側の側面とし、建物ユニット４１Ａ，４３同士を連結しているので、長辺側の側面を突き合わせて連結する場合よりも、第一および第二接続部６１，６２、当該第一および第二接続部６１，６２で連結される梁４１２，４３２の長さが短くなり、より高い剛性が確保され、水平外力Ｆに抗しうる剛性をより容易に確保できる。
【００１９】
また、第一および第二接続部６１，６２に標準連結具１１０と同じ位置決め孔６１Ａ，６１Ｂおよびボルト挿通孔６１Ｃを設けているので、従来の上下方向に隣接する建物ユニット４１Ａ，４３同士の連結構造を変更せずに、当該建物ユニット４１Ａ，４３同士の連結作業が行えるようになり、建築現場での作業効率が損なわれない。
【００２０】
さらに、第一接続部６１側の建物ユニット４１Ａの梁４１２の中間部分を連結具６０で接合しているので、連結具６０が段差部分を有する平面形状を有していても、水平外力Ｆが連結具６０の段差部分に集中せず、連結具６０全体に伝達されるようになり、連結具６０の耐久性を確保できる。
【００２１】
なお、本発明は前記実施形態に限定されるものではなく、本発明の目的を達成できる他の構成等を含み、以下に示すような変形なども本発明に含まれる。
すなわち、建物ユニット同士の突き合わされる側面としては、建物ユニットの短辺側の側面に限らず、建物ユニットの長辺側の側面でもよい。
ここで、図４に示されるように、建物ユニット４１の長辺寸法よりも短い建物ユニット４３Ａが建物ユニット４１の長辺側の側面の中間部分に配置されていてもよい。
この際、連結具としては、第一接続部６１および第二接続部６２が一つの段差部分を形成するように一体化されたものに限らず、第一接続部６１Ａおよび第二接続部６２Ａが二つの段差部分を形成するように一体化された連結具６０Ａであってもよい。
【００２２】
【発明の効果】
本発明の連結具によれば、次のような効果が得られる。
すなわち、請求項１に記載の連結具によれば、四角形状の金属板（例えば、鉄板）の角隅を四角形状に切欠くことにより第一接続部および第二接続部を一体化した連結具が容易に製作されるようになる。そして、平板状の連結具の取付けにより水平方向の剛性が向上され、この連結具で、建物ユニット同士の突き合わされた側面の四本の柱を一体化すれば、突き合わされた側面の水平長さ寸法が相違していても、水平方向の外力は、一方の建物ユニットから他方の建物ユニットへスムーズに伝達されるようになり、突き合わされる側面の水平長さ寸法が異なる建物ユニット同士の連結部分の剛性を確保できる。
【００２３】
また、請求項２に記載の連結具によれば、突き合わされる側面の水平長さ寸法が異なる建物ユニットと、これらの建物ユニットに沿って別の建物ユニットとを連結するにあたり、第一接続部および第二接続部を有する連結とは別の連結具で四つの建物ユニットを連結しようとすると、二枚の連結具が重ね合わされ、他の水平連結具と高さレベルが相違する。
そこで、前述のようにすれば、建物ユニット同士が一つの連結具で連結可能となるので、建物ユニットの水平連結部分の高さレベルが相違することがなく、上階建物ユニットの載置に何ら問題が生じない。
【００２４】
さらに、請求項３に記載の連結具によれば、建物ユニット同士の短辺側の側面を突き合わせて連結すれば、長辺側の側面を突き合わせて連結する場合よりも、第一および第二接続部および当該第一および第二接続部で連結される梁の長さが短くなるので、より高い剛性が確保され、水平外力に抗しうる剛性をより容易に確保できる。
【００２５】
また、請求項４に記載の連結具によれば、従来の上下方向に隣接する建物ユニット同士の連結構造を変更せずに、当該建物ユニット同士の連結作業が行えるようになり、建築現場での作業効率が損なわれない。
【００２６】
さらに、請求項５に記載の連結具によれば、第一接続部側の建物ユニットの梁は、中間部分が連結具に接合されるので、連結具が段差部分を有する平面形状を有していても、水平外力が連結具の段差部分に集中せず、連結具全体に伝達されるようになり、連結具の耐久性を確保できる。
【図面の簡単な説明】
【図１】本発明の一実施形態に係るユニット式建物を示す斜視図である。
【図２】前記実施形態に係るユニット式建物の建物ユニットの配置を示す平面図である。
【図３】前記実施形態に係る連結具を示す斜視図である。
【図４】本発明の変形例を示す平面図である。
【図５】建物ユニット同士の連結構造を示す斜視図である。
【図６】本発明の従来例における小型建物ユニットを用いて段付部を形成する構造を示す平面図である。
【図７】本発明の従来例における水平長さ寸法が異なる側面同士を隣接させて接合した構造を示す平面図である。
【符号の説明】
４１，４１Ａ，４１Ｂ，４３  建物ユニット
４１１，４３１  柱
４１２，４３２  梁
６０  連結具
６１  第一接続部
６１Ａ，６１Ｂ  位置決め孔
６１Ｃ  ボルト挿通孔
６１Ｄ  ボルト挿通孔
６２  第二接続部
６２Ａ，６２Ｂ  位置決め孔
６２Ｃ  ボルト挿通孔
１１０  標準連結具
１１２，１１３  位置決め孔
１１４  ボルト挿通孔
【図１】
0004328429.tif 000002
【図２】
0004328429.tif 000003
【図３】
0004328429.tif 000004
【図４】
0004328429.tif 000005
【図５】
0004328429.tif 000006
【図６】
0004328429.tif 000007
【図７】
0004328429.tif 000008